(57)【要約】【課題】被収容物を内部に保持した状態で、取り外し自在に取り付けて携帯することができると共に、被収容物からの有効気化成分を携帯者の近傍の適所に放散することができる携帯容器の提供を課題とする。【解決手段】携帯者の衣服等の取り付け対象物に対して着脱自在に取り付けられ、内部に収容された被収容物Ｗから発生される有効気化成分を外部へ放散させるために用いられる携帯容器であって、容器部１０と、該容器部１０を衣服等の取り付け対象物に着脱自在に取り付けるためのクリップ部２０とを有し、前記容器部１０には被収容物Ｗを出し入れ自在に収容する収容空間を内部に設けると共に有効気化成分を前記収容空間から外部へ放散させるための複数の窓１２ａを設けている。【選択図】        図２
0003159808.tif 000002
【実用新案登録請求の範囲】
【請求項１】
携帯者の衣服等の取り付け対象物に対して着脱自在に取り付けられ、内部に収容された被収容物から発生される有効気化成分を外部へ放散させるために用いられる携帯容器であって、容器部と、該容器部を衣服等の取り付け対象物に着脱自在に取り付けるためのクリップ部とを有し、前記容器部には被収容物を出し入れ自在に収容する収容空間を内部に設けると共に有効気化成分を前記収容空間から外部へ放散させるための複数の窓を設けていることを特徴とする携帯容器。
【請求項２】
容器部は、収容空間の一部を構成する収容凹所を備えた受入基体と、該受入基体に対して着脱自在に被着して、前記収容空間の残りを構成するキャップ体とからなり、キャップ体に複数の窓を設けてあることを特徴とする請求項１に記載の携帯容器。
【請求項３】
受入基体の下面に突出軸を構成し、該突出軸に対してクリップ部を分離自在に取り付けてあることを特徴とする請求項２に記載の携帯容器。
【請求項４】
クリップ部は、一対の挟み板が設けられたクリップ部本体と、該クリップ部本体の片方の挟み板に設けられた突出筒部に対して一端部で回動自在且つ分離自在に嵌合されると共に他端部で受入基体の突出軸に対して分離自在に嵌合される連結体とで構成されていることを特徴とする請求項３に記載の携帯容器。
【考案の詳細な説明】
【技術分野】
【０００１】
本考案は携帯容器に関し、人の衣服の前襟等に着脱自在に取り付けられ、内部に収容されたタブレット等の被収容物から発生される有効気化成分を外部に放散させるために用いられる携帯容器に関する。
【背景技術】
【０００２】
従来、室内等に芳香を漂わせるための芳香容器が提供されている。また室内の消臭を行う消臭容器が提供されている。これらの芳香容器や消臭容器は、一般に内部に芳香を発し或いは消臭を行う固体や液体を収容し、室内の適当な場所に置かれるものである。
特開平９−１９４９１号公報（特許文献１）には、芳香具を収納、保管、携帯するための香り携帯容器が開示されている。
特開２００５−２６３３０１号公報（特許文献２）には、内部に揮発性オイルを保持した吊り下げ式の芳香容器が開示されている。
特開２００６−２３９３２８号公報（特許文献３）には、薬を内部に保持することができるクリップ付の携帯容器が提供されている。
【先行技術文献】
【特許文献】
【０００３】
【特許文献１】特開平９−１９４９１号公報
【特許文献２】特開２００５−２６３３０１号公報
【特許文献３】特開２００６−２３９３２８号公報
【考案の概要】
【考案が解決しようとする課題】
【０００４】
上記特許文献１における２のクリップにおいては、芳香具を収納、保管、携帯するための香り携帯容器は、持ち運びができるものではあるものの、内部に収納して芳香具を携帯しながら芳香を放散させる目的のものではない。むしろ携帯中は容器内に密閉して香りが漏れないようにした容器である。
また特許文献２の芳香容器は、揮発性オイルの芳香を継続的に放散させるものであるが、室内等に吊り下げて用いるものであり、携帯用には揮発性オイルの漏れ等が問題となり、携帯に適したものではない。
また特許文献３に開示された薬の携帯容器は、必要な薬を携帯することができるものではあるが、薬からの気化成分を放散させるようなものではない。
以上、従来の携帯容器或いは芳香やその他の有用気化成分を放散させる放散容器は、何れも携帯者に携帯された状態で且つ内部に収容された物質からの有効気化成分を携帯者に対して放散状態に保持することができるようなものではなかった。
【０００５】
そこで本考案は上記従来における問題点を解決し、被収容物を内部に保持した状態で、取り外し自在に取り付けて携帯することができると共に、被収容物からの有効気化成分を携帯者の近傍の適所に放散することができる携帯容器の提供を課題とする。
【課題を解決するための手段】
【０００６】
上記課題を解決する本考案の携帯容器は、携帯者の衣服等の取り付け対象物に対して着脱自在に取り付けられ、内部に収容された被収容物から発生される有効気化成分を外部へ放散させるために用いられる携帯容器であって、容器部と、該容器部を衣服等の取り付け対象物に着脱自在に取り付けるためのクリップ部とを有し、前記容器部には被収容物を出し入れ自在に収容する収容空間を内部に設けると共に有効気化成分を前記収容空間から外部へ放散させるための複数の窓を設けていることを第１の特徴としている。
また本考案の携帯容器は、上記第１の特徴に加えて、容器部は、収容空間の一部を構成する収容凹所を備えた受入基体と、該受入基体に対して着脱自在に被着して、前記収容空間の残りを構成するキャップ体とからなり、キャップ体に複数の窓を設けてあることを第２の特徴としている。
また本考案の携帯容器は、上記第２の特徴に加えて、受入基体の下面に突出軸を構成し、該突出軸に対してクリップ部を分離自在に取り付けてあることを第３の特徴としている。
また本考案の携帯容器は、上記第３の特徴に加えて、クリップ部は、一対の挟み板が設けられたクリップ部本体と、該クリップ部本体の片方の挟み板に設けられた突出筒部に対して一端部で回動自在且つ分離自在に嵌合されると共に他端部で受入基体の突出軸に対して分離自在に嵌合される連結体とで構成されていることを第４の特徴としている。
【考案の効果】
【０００７】
請求項１に記載の携帯容器によれば、該携帯容器を例えばピンマイクの如く携帯者の胸元に取り付けて、容器内部に収容したタブレット等の被収容物から発生する有効気化成分を携帯者の口元、顔或いは上半身の周りに供給することができる。容器内部に、例えば除菌に有効な気化成分を放散する物を収容しておくことで、マスクを着用し難い接客業者等にとっての有効な除菌、感染対策となる。また容器内部に芳香成分を収容しておくことで、そこから気化する芳香成分を携帯者及びその周囲に放散させることができる。
容器部の収容空間に被収容物を出し入れ自在に収容し、クリップ部で携帯者の衣服等に着脱自在に取り付けるだけでよいので、非常に簡単、容易に準備を整えることができる。
そしてこれによって、内部の被収容物を収容した状態で携帯し、且つ携帯状態で被収容物から発生される有効気化成分を携帯者の適所に放散することができる。
【０００８】
請求項２に記載の携帯容器によれば、上記請求項１の構成による作用効果に加えて、容器部は、収容空間の一部を構成する収容凹所を備えた受入基体と、該受入基体に対して着脱自在に被着して、前記収容空間の残りを構成するキャップ体とからなり、キャップ体に複数の窓を設けてあるので、
タブレット等の被収容物の容器部への収容作業は、受入基体に被着しているキャップ体を外し、受入基体の収容凹所に被収容物を置き、キャップ体を被着するだけで、ごく簡単に行うことができる。キャップ体に複数の窓を設けることで、被収容物の減り具合が携帯したまま視認することができると共に、有効気化成分の放散を良好に行うことができる。
【０００９】
請求項３に記載の携帯容器によれば、上記請求項２の構成による作用効果に加えて、受入基体の下面に突出軸を構成し、該突出軸に対してクリップ部を分離自在に取り付けてあるので、
クリップ部で携帯者の胸元に取り付けることで、突出軸の上に構成された受入基体が上向きとなり、キャップ体を取り付けた状態で容器部がピンマイクの如く携帯者の胸元に上向きに配置され、被収容物から発生する有効気化成分を携帯者の上半身から顔周り、口周りに効果的に放散することができる。
またクリップ部は容器部に分離自在であるので、携帯容器を携帯者の服等に取り付けることなく、上ポケット等に差し入れておく等の場合には、クリップ部を取り外して使用することができる。
【００１０】
請求項４に記載の携帯容器によれば、上記請求項３の構成による作用効果に加えて、クリップ部は、一対の挟み板が設けられたクリップ部本体と、該クリップ部本体の片方の挟み板に設けられた突出筒部に対して一端部で回動自在且つ分離自在に嵌合されると共に他端部で受入基体の突出軸に対して分離自在に嵌合される連結体とで構成されているので、
クリップ部をクリップ部本体と連結体とに分けて製造することが可能となり、成形コストを低減することができる。
またクリップ部本体が連結体を介して容器部側に対して回動自在となるので、携帯容器をクリップ部で携帯者の衣服等に取り付けた状態において、容器部の姿勢を容易に調整することができる。
【図面の簡単な説明】
【００１１】
【図１】本考案の実施形態に係る携帯容器の使用状態を説明する図である。
【図２】本考案の実施形態に係る携帯容器の全体斜視図である。
【図３】本考案の実施形態に係る携帯容器の分解斜視図である。
【考案を実施するための形態】
【００１２】
以下の図面を参照して、本考案に係る携帯容器を説明し、本考案の理解に供する。しかし、以下の説明は本考案の実用新案登録請求の範囲に記載の考案を限定するものではない。
【００１３】
図１〜図３を参照し、本考案に係る携帯容器１は、容器部１０とクリップ部２０とからなる。
この携帯容器１は、携帯者の衣服等の取り付け対象物に対してクリップ部２０で着脱自在に取り付けられ、容器部１０内に収容された被収容物Ｗから発生される有効気化成分を外部に放散させるために用いられるものである。
前記被収容物Ｗは、主として固形物が該当する。しかし液体や気体であっても、それらを内部に保持した物であって、徐々に有効気化成分を発生して外部に放出することができるようにした物であればよい。
前記有効気化成分としては、除菌性、殺菌性のある気化成分、その他の薬効性のある気化成分、芳香性、消臭性のある気化成分、その他、雰囲気に好ましい状況を与える気化成分を少なくともその範疇とする。
【００１４】
前記容器部１０は、受入基体１１と該受入基体１１に被着するキャップ体１２とからなる。これらは樹脂成型品として構成することができる。
前記受入基体１１は容器部１０の基体となる部分で、円盤状の基体１１ａ上に筒状壁１１ｂを立設することで、その中に収容凹所１１ｃを備えている。収容凹所１１ｃに被収容物Ｗが収容される。
受入基体１１の下面の中央からは棒状の突出軸１１ｄが垂下して形成されている。
前記キャップ体１２は、その下部が前記筒状壁１１ｂに対して外嵌合することで被着する。キャップ体１２を被着した状態で、該キャップ体１２の内空間と前記受入基体１１の収容凹所１１ｃとで被収容物Ｗのための収容空間が構成される。またキャップ体１２の側周と前記受入基体１１の側周とが面一となる。
前記キャップ体１２の筒状壁１１ｂへの外嵌合はスナップ嵌合とし、これにより適当な力を加えることで嵌脱ができるようにし、キャップ体１２を着脱自在に被着できるようにしている。
キャップ体１２のうち、前記筒状壁１１ｂと嵌合する部分を除く側面に窓１２ａを設けている。本実施形態では、窓１２ａをキャップ体１２の側周に縦方向に整列するスリット状の窓１２ａとして複数設けている。勿論、窓１２ａはキャップ体１２の頭部にも設けてもよい。
【００１５】
前記クリップ部２０は、クリップ部本体２１と、連結体２２とからなる。
クリップ部本体２１は、実際に物を掴む一対の挟み板２１ａ、２１ａと、その一方の挟み板２１ａの中央付近から当該挟み板２１ａに対して略直角方向に突出して設けられた突出筒部２１ｂとを有する。
前記一対の挟み板２１ａ、２１ａはその途中で相互に枢支されて組み合わされ、付勢バネ２１ｃによって先端部が相互に噛み合う方向に付勢されると共に、後方部が相互に開く方向に付勢されている。よって一対の挟み板２１ａ、２１ａにより衣服等の取り付け対象物に挟み付けることで、容器部１０を携帯者の衣服等に取り付けることができる。
【００１６】
前記連結体２２は、その一端側を図示しない押し込みピンとして、この押し込みピンで前記クリップ部本体１２の突出筒部２１ｂに分離可能に押し入って、相互に回動自在にスナップ嵌合するように構成されている。
前記連結体２２の他端側は一対の湾曲アーム２２ａ、２２ａで構成され、該湾曲アーム２２ａ、２２ａが自身のもつ弾力性によって前記受入基体１１の突出軸１１ｄに両側から着脱自在に外嵌合する構成とされている。
より詳しくは、前記突出軸１１ｄの側周に、前記一対の湾曲アーム２２ａのアーム幅に相当する幅をもつ短半径部１１ｅが構成されることで、嵌合した一対の湾曲アーム２２ａ、２２ａが突出軸１１ｄの軸方向へずれるのを防止する。また前記一対の湾曲アーム２２ａ、２２ａの基部中心に係止ピン２２ｂが構成され、前記突出軸１１ｄに前記係止ピン２２ｂに対応して図示しない係止孔が構成されることで、嵌合した一対の湾曲アーム２２ａ、２２ａが突出軸１１ｄの円周方向に動くのを防止している。
【００１７】
今、図２に示す携帯容器１の状態において、キャップ体１２を取り外し、図３に示すように被収容物Ｗを収容凹所１１ｃに収める。そしてキャップ体１２を再び被着する。被収容物Ｗを収容した携帯容器１を、そのクリップ部２１の挟み板２１ａで、図１に示すように、携帯者の衣服の襟元や胸元等に挟み付けることで、取り付けが完了する。内部の被収容物Ｗから発生した有効気体成分が容器部１０から外部に放散される。
【００１８】
なお本実施形態では、被収容物Ｗとして、二酸化塩素を徐々に放散するように調整したタブレットを採用している。この場合、タブレットには芳香を放散する物質を一緒に加えておいてもよい。
【産業上の利用可能性】
【００１９】
本考案は携帯容器として使用者の衣服等の一部に着脱自在に取り付けることで、容器内部に収容された被収容物からの有効気化成分の放散による空間消毒、空間消臭、空間芳香等の効果を得ることが容易に可能となり、製品、商品としての産業上利用がある。
【符号の説明】
【００２０】
１            携帯容器
１０          容器部
１１          受入基体
１１ａ        基体
１１ｂ        筒状壁
１１ｃ        収容凹所
１１ｄ        突出軸
１１ｅ        短半径部
１２          キャップ体
１２ａ        窓
２０          クリップ部
２１          クリップ部本体
２１ａ        挟み板
２１ｂ        突出筒部
２１ｃ        バネ
２２          連結体
２２ａ        湾曲アーム
２２ｂ        係止ピン
Ｗ            被収容物
【図１】
0003159808.tif 000003
【図２】
0003159808.tif 000004
【図３】
0003159808.tif 000005